(57)【要約】【課題】ユーザーによる記録情報の消去作業の負担軽減及び記憶容量の有効活用を図ることが可能な記録情報管理装置を提供すること。【解決手段】記録情報管理装置は、各記録モードに対して設定される消去条件を管理する第１の管理手段と、指定された所定の記録モードによる所定の記録情報の記録を制御する記録制御手段と、前記所定の記録モードにより記録された前記所定の記録情報を、この所定の記録モードに対して設定された所定の消去条件に基づき管理する第２の管理手段とを備えている。【選択図】      図２
2006295395.tif 000002
【特許請求の範囲】
【請求項１】
各記録モードに対して設定される消去条件を管理する第１の管理手段と、
指定された所定の記録モードによる所定の記録情報の記録を制御する記録制御手段と、
前記所定の記録モードにより記録された前記所定の記録情報を、この所定の記録モードに対して設定された所定の消去条件に基づき管理する第２の管理手段と、
を備えたことを特徴とする記録情報管理装置。
【請求項２】
前記第２の管理手段は、前記所定の消去条件に基づき前記所定の記録情報の消去を制御することを特徴とする請求項１に記載の記録情報管理装置。
【請求項３】
前記記録制御手段は、予約情報に基づき記録情報を記録する第１の記録モード、選択中の記録情報を記録する第２の記録モード、及び記録開始タイミングと記録終了タイミングの指定に基づき記録情報を記録する第３の記録モードに対して設定される消去条件を管理することを特徴とする記録情報管理装置。
【請求項４】
前記第１の管理手段は、状態変化に基づく記録情報の消去を許可する第１の消去条件、及び状態変化に基づく記録情報の消去を許可しない第２の消去条件を管理することを特徴とする請求項１に記載の記録情報管理装置。
【請求項５】
前記第１の管理手段は、記録先の容量不足に基づく記録情報の消去を許可する第１の消去条件、及び記録先の容量不足に基づく記録情報の消去を許可しない第２の消去条件を管理することを特徴とする請求項１に記載の記録情報管理装置。
【請求項６】
前記第２の管理手段は、前記所定の記録情報に対して設定される前記所定の消去条件及びこの所定の記録情報の属性に基づきこの所定の記録情報を管理することを特徴とする請求項１に記載の記録情報管理装置。
【請求項７】
前記第２の管理手段は、前記所定の記録情報に対して設定される前記所定の消去条件及びこの所定の記録情報の属性に基づきこの所定の記録情報の消去を制御することを特徴とする請求項１に記載の記録情報管理装置。
【請求項８】
前記属性は、前記所定の記録情報の記録日時、前記所定の記録情報のジャンル、及び前記所定の記録情報のサイズのうちの少なくとも一つを含むことを特徴とする請求項１に記載の記録情報管理装置。
【請求項９】
各記録モードに対して設定される消去条件を管理し、
指定された所定の記録モードによる所定の記録情報の記録を制御し、
前記所定の記録モードにより記録された前記所定の記録情報を、この所定の記録モードに対して設定された所定の消去条件に基づき管理する、
ことを特徴とする記録情報管理方法。
【発明の詳細な説明】
【技術分野】
【０００１】
本発明は、受信した番組等の情報を録画する録画機器に適用可能な記録情報管理装置及び記録情報管理方法に関する。
【背景技術】
【０００２】
近年、ＨＤＤ（ハードディスクドライブ）を利用して映像を録画する映像録画機器の普及が目覚しい。ＨＤＤは大容量という点で魅力ではあるが、その記憶容量は有限である。つまり、ＨＤＤに対する番組録画を継続すると、やがてＨＤＤの容量不足が発生する。このような場合に、さらに番組を録画しようとすると、ＨＤＤに記録された１又は複数の番組を消去してＨＤＤの空き容量を確保する作業が必要となる。
【０００３】
例えば、容量不足時には予め設定された優先度の低いデータを削除することにより、容量不足を解消する技術が提案されている（特許文献１、２参照）。
【０００４】
或いは、記録媒体の空き容量を確保するため、番組内の部分的な消去や、非消去の制御を可能にする技術が提案されている（特許文献３参照）。
【特許文献１】特開２００４−３２８５９１号公報
【特許文献２】特表２００４−５３１１２０号公報
【特許文献３】特開２００４−７１５５号公報
【発明の開示】
【発明が解決しようとする課題】
【０００５】
ユーザーがＨＤＤの空き容量を確保する作業を行なう場合、ユーザーはＨＤＤに記録された複数の番組（ＨＤＤの容量が非常に大きければ膨大な番組）の中から消去してもよい番組を探し出さなければならない。
【０００６】
このような煩雑な作業からユーザーを開放するために、例えば、ＨＤＤに記録された複数の番組の中から消去候補の番組を検索する機能を持たせた機器が提案されている。しかしながら、この機能は、単に、録画日時を利用して、ＨＤＤに記録された複数の番組の中から古い番組を消去候補として挙げるに過ぎず、ユーザーの希望する消去候補の番組検索機能としては不十分である。
【０００７】
ユーザーにとって残しておきたい番組は、番組内容、視聴状況、好みなどいろいろな要素が絡み合って決定される。単純に、録画日時だけで消去番組を決定する方法では、本当に消去してよい番組かどうかを判断できない。上記した特許文献１〜３に開示された技術でも、このような問題解決には十分ではない。
【０００８】
そこで、本発明は上記の問題を解決するためになされたものであり、ユーザーによる記録情報の消去作業の負担軽減及び記憶容量の有効活用を図ることが可能な記録情報管理装置及び記録情報管理方法を提供することを目的とする。
【課題を解決するための手段】
【０００９】
この発明の情報管理装置及び情報管理方法は、以下のように構成されている。
【００１０】
（１）この発明は、各記録モード（予約録画、現在視聴番組録画、ちょっと録画）に対して設定される消去条件（容量不足に伴う消去する／しない）を管理する第１の管理手段と、指定された所定の記録モードによる所定の記録情報の記録を制御する記録制御手段と、前記所定の記録モードにより記録された前記所定の記録情報を、この所定の記録モードに対して設定された所定の消去条件に基づき管理（容量不足に伴い”消去する”が設定されている情報を消去）する第２の管理手段とを備えたことを特徴とする記録情報管理装置である。
【００１１】
（２）この発明は、各記録モードに対して設定される消去条件を管理し、指定された所定の記録モードによる所定の記録情報の記録を制御し、前記所定の記録モードにより記録された前記所定の記録情報を、この所定の記録モードに対して設定された所定の消去条件に基づき管理することを特徴とする記録情報管理方法である。
【発明の効果】
【００１２】
本発明によれば、ユーザーによる番組消去作業の負担軽減及び記憶容量の有効活用を図ることが可能な記録情報管理装置及び記録情報管理方法を提供できる。
【発明を実施するための最良の形態】
【００１３】
以下、図面を参照しながら本実施形態について説明する。
【００１４】
図１及び図２を参照して、この発明の一例に係るデジタルテレビジョン放送受信装置（記録情報管理装置）について説明する。図１は、この発明の一例に係るデジタルテレビジョン放送受信装置（記録情報管理装置）の外観を示す図である。図２は、デジタルテレビジョン放送受信装置（記録情報管理装置）の概略構成を示すブロック図である。
【００１５】
デジタルテレビジョン放送受信装置１１は、主として、薄型のキャビネット１２と、このキャビネット１２を起立させて支持する支持台１３とから構成されている。そして、キャビネット１２には、例えば液晶表示パネルにより構成される映像表示器１４、スピーカ１５、操作部１６、リモートコントローラ１７から送信される操作情報を受ける受光部１８等が設置されている。
【００１６】
また、このデジタルテレビジョン放送受信装置１１には、例えばＳＤ（Secure Digital）メモリカード、ＭＭＣ（Multimedia Card）及びメモリスティック等の第１のメモリカード１９が着脱可能となっており、この第１のメモリカード１９に対して番組や写真等の情報の記録再生が行なわれるようになっている。
【００１７】
さらに、このデジタルテレビジョン放送受信装置１１には、例えば契約情報等の記録された第２のメモリカード（ＩＣカード）２０が着脱可能となっており、この第２のメモリカード２０に対して情報の記録再生が行なわれるようになっている。
【００１８】
また、このデジタルテレビジョン放送受信装置１１は、第１のＬＡＮ（Local Area Network）端子２１、第２のＬＡＮ端子２２、ＵＳＢ（Universal Serial Bus）端子２３、及びｉ．Link端子２４を備えている。
【００１９】
このうち、第１のＬＡＮ端子２１は、ＬＡＮ対応ＨＤＤ専用ポートとして使用されるもので、接続されたＮＡＳ（Network Attached Storage）であるＬＡＮ対応のＨＤＤ２５に対して、イーサネット（登録商標）により情報の記録再生を行なうために使用される。
【００２０】
このように、ＬＡＮ対応ＨＤＤ専用ポートとしての第１のＬＡＮ端子２１を設けることにより、他のネットワーク環境やネットワーク使用状況等に影響されることなく、ＨＤＤ２５に対してハイビジョン画質による番組の情報記録を安定して行なうことができる。
【００２１】
また、第２のＬＡＮ端子２２は、イーサネット（登録商標）を用いた一般的なＬＡＮ対応ポートとして使用されるもので、例えばハブ２６を介して、ＬＡＮ対応のＨＤＤ２７、ＰＣ（Personal Computer）２８、ＨＤＤ内蔵のＤＶＤ（Digital Versatile Disk）レコーダ２９等の機器を接続し、これらの機器と情報伝送を行なうために使用される。
【００２２】
なお、ＤＶＤレコーダ２９については、第２のＬＡＮ端子２２を介して通信されるデジタル情報が制御系のみの情報であるため、デジタルテレビジョン放送受信装置１１との間でアナログの映像及び音声情報を伝送するために、専用のアナログ伝送路３０を設ける必要がある。
【００２３】
さらに、この第２のＬＡＮ端子２２は、ハブ２６に接続されたブロードバンドルータ３１を介して、例えばインターネット等のネットワーク３２に接続し、そのネットワーク３２を介してＰＣ３３や携帯電話３４等と情報伝送を行なうために使用される。
【００２４】
また、上記ＵＳＢ端子２３は、一般的なＵＳＢ対応ポートとして使用されるもので、例えばハブ３５を介して、携帯電話３６、デジタルカメラ３７、メモリカードに対するカードリーダ／ライタ３８、ＨＤＤ３９、キーボード４０等のＵＳＢ機器を接続し、これらのＵＳＢ機器と情報伝送を行なうために使用される。
【００２５】
さらに、上記ｉ．Link端子２４は、例えばＡＶ−ＨＤＤ４１、Ｄ（Digital）−ＶＨＳ（Video Home System）４２等をシリアル接続し、これらの機器と情報伝送を行なうために使用される。
【００２６】
図２は、上記したデジタルテレビジョン放送受信装置１１の主要な信号処理系を示している。すなわち、ＢＳ／ＣＳデジタル放送受信用のアンテナ４３で受信した衛星デジタルテレビジョン放送信号は、入力端子４４を介して衛星デジタル放送用のチューナ４５に供給されることにより、所望のチャンネルの放送信号が選局される。
【００２７】
そして、このチューナ４５で選局された放送信号は、ＰＳＫ（Phase Shift Keying）復調器４６に供給されて、デジタルの映像信号及び音声信号に復調された後、信号処理部４７に出力される。
【００２８】
また、地上波放送受信用のアンテナ４８で受信した地上デジタルテレビジョン放送信号は、入力端子４９を介して地上デジタル放送用のチューナ５０に供給されることにより、所望のチャンネルの放送信号が選局される。
【００２９】
そして、このチューナ５０で選局された放送信号は、ＯＦＤＭ（Orthogonal Frequency Division Multiplexing）復調器５１に供給されて、デジタルの映像信号及び音声信号に復調された後、上記信号処理部４７に出力される。
【００３０】
また、上記地上波放送受信用のアンテナ４８で受信した地上アナログテレビジョン放送信号は、入力端子４９を介して地上アナログ放送用のチューナ５２に供給されることにより、所望のチャンネルの放送信号が選局される。そして、このチューナ５２で選局された放送信号は、アナログ復調器５３に供給されてアナログの映像信号及び音声信号に復調された後、上記信号処理部４７に出力される。
【００３１】
ここで、上記信号処理部４７は、ＰＳＫ復調器４６及びＯＦＤＭ復調器５１からそれぞれ供給されたデジタルの映像信号及び音声信号に対して、選択的に所定のデジタル信号処理を施し、グラフィック処理部５４及び音声処理部５５に出力している。
【００３２】
また、上記信号処理部４７には、複数（図示の場合は４つ）の入力端子５６ａ，５６ｂ，５６ｃ，５６ｄが接続されている。これら入力端子５６ａ〜５６ｄは、それぞれ、アナログの映像信号及び音声信号を、デジタルテレビジョン放送受信装置１１の外部から入力可能とするものである。
【００３３】
そして、この信号処理部４７は、上記アナログ復調器５３及び各入力端子５６ａ〜５６ｄからそれぞれ供給されたアナログの映像信号及び音声信号を選択的にデジタル化し、そのデジタル化された映像信号及び音声信号に対して所定のデジタル信号処理を施した後、グラフィック処理部５４及び音声処理部５５に出力している。
【００３４】
このうち、グラフィック処理部５４は、信号処理部４７から供給されるデジタルの映像信号に、ＯＳＤ（On Screen Display）信号生成部５７で生成されるＯＳＤ信号を重畳して出力する機能を有する。このグラフィック処理部５４は、信号処理部４７の出力映像信号と、ＯＳＤ信号生成部５７の出力ＯＳＤ信号とを選択的に出力すること、また、両出力をそれぞれ画面の半分を構成するように組み合わせて出力することができる。
【００３５】
そして、グラフィック処理部５４から出力されたデジタルの映像信号は、映像処理部５８に供給される。この映像処理部５８は、入力されたデジタルの映像信号を、前記映像表示器１４で表示可能なフォーマットのアナログ映像信号に変換した後、映像表示器１４に出力して映像表示させるとともに、出力端子５９を介して外部に導出させる。
【００３６】
また、上記音声処理部５５は、入力されたデジタルの音声信号を、前記スピーカ１５で再生可能なフォーマットのアナログ音声信号に変換した後、スピーカ１５に出力して音声再生させるとともに、出力端子６０を介して外部に導出させる。
【００３７】
ここで、このデジタルテレビジョン放送受信装置１１は、上記した各種の受信動作を含むその全ての動作を制御部６１によって統括的に制御されている。この制御部６１は、ＣＰＵ（Central Processing Unit）等を内蔵しており、前記操作部１６からの操作情報を受け、または、リモートコントローラ１７から送出された操作情報を前記受光部１８を介して受信し、その操作内容が反映されるように各部をそれぞれ制御している。
【００３８】
この場合、制御部６１は、主として、そのＣＰＵが実行する制御プログラムを格納したＲＯＭ（Read Only Memory）６２と、該ＣＰＵに作業エリアを提供するＲＡＭ（Random Access Memory）６３と、各種の設定情報及び制御情報等が格納される不揮発性メモリ６４とを利用している。
【００３９】
また、この制御部６１は、カードＩ／Ｆ（Interface）６５を介して、前記第１のメモリカード１９が装着可能なカードホルダ６６に接続されている。これによって、制御部６１は、カードホルダ６６に装着された第１のメモリカード１９と、カードＩ／Ｆ６５を介して情報伝送を行なうことができる。
【００４０】
さらに、上記制御部６１は、カードＩ／Ｆ６７を介して、前記第２のメモリカード２０が装着可能なカードホルダ６８に接続されている。これにより、制御部６１は、カードホルダ６８に装着された第２のメモリカード２０と、カードＩ／Ｆ６７を介して情報伝送を行なうことができる。
【００４１】
また、上記制御部６１は、通信Ｉ／Ｆ６９を介して第１のＬＡＮ端子２１に接続されている。これにより、制御部６１は、第１のＬＡＮ端子２１に接続されたＬＡＮ対応のＨＤＤ２５と、通信Ｉ／Ｆ６９を介して情報伝送を行なうことができる。この場合、制御部６１は、ＤＨＣＰ（Dynamic Host Configuration Protocol）サーバ機能を有し、第１のＬＡＮ端子２１に接続されたＬＡＮ対応のＨＤＤ２５にＩＰ（Internet Protocol）アドレスを割り当てて制御している。
【００４２】
さらに、上記制御部６１は、通信Ｉ／Ｆ７０を介して第２のＬＡＮ端子２２に接続されている。これにより、制御部６１は、第２のＬＡＮ端子２２に接続された各機器（図１参照）と、通信Ｉ／Ｆ７０を介して情報伝送を行なうことができる。
【００４３】
また、上記制御部６１は、ＵＳＢ Ｉ／Ｆ７１を介して前記ＵＳＢ端子２３に接続されている。これにより、制御部６１は、ＵＳＢ端子２３に接続された各機器（図１参照）と、ＵＳＢ Ｉ／Ｆ７１を介して情報伝送を行なうことができる。
【００４４】
さらに、上記制御部６１は、ｉ．Link Ｉ／Ｆ７２を介してｉ．Link端子２４に接続されている。これにより、制御部６１は、ｉ．Link端子２４に接続された各機器（図１参照）と、ｉ．Link Ｉ／Ｆ７２を介して情報伝送を行なうことができる。
【００４５】
次に、上記説明したデジタルテレビジョン放送受信装置１１による録画モードについて説明する。デジタルテレビジョン放送受信装置１１は、例えば、第１、第２、第３の録画モードを備えており、これら録画モードに基づき所定の番組（記録情報）が例えばＨＤＤ２５に記録される。
【００４６】
第１の録画モードは、例えば、予約情報に基づき番組を録画するモードであり、「予約録画」と呼ばれる。予約情報は、操作部１６又はリモートコントローラ１７により指定された日時、チャンネル、録画先（例えばＨＤＤ２５）等の情報により生成され、不揮発性メモリ６４に記憶される。制御部６１は、不揮発性メモリ６４に記憶された予約情報に基づき、指定された日時に指定されたチャンネルの番組を指定された録画先へ録画させる動作を制御する。
【００４７】
第２の録画モードは、例えば、選択中（視聴中）の番組を録画するモードであり、「現在視聴番組録画」と呼ばれる。番組視聴中に、操作部１６又はリモートコントローラ１７により現在視聴番組録画が指定されると、制御部６１の録画制御により現在視聴中の番組が予め指定された録画先（例えばＨＤＤ２５）へ録画される。なお、現在視聴中の番組の終了時刻は、例えばＥＰＧ（電子番組表）に基づき検出される。これにより、現在視聴中の番組の終了時刻までの録画が可能となる。ＥＰＧは、入力端子４９を介して供給される放送信号に含まれている。或いはＥＰＧは、第２のＬＡＮ端子２２を介して取得することが可能である。
【００４８】
第３の録画モードは、例えば、録画開始タイミングと録画終了タイミングの指定に基づき番組を録画するモードであり、「ちょっと録画」と呼ばれる。番組視聴中に、操作部１６又はリモートコントローラ１７により録画開始が指定されると、制御部６１の録画制御により現在視聴中の番組の録画が開始され、また操作部１６又はリモートコントローラ１７により録画終了が指定されると、制御部６１の録画制御により現在視聴中の番組の録画が停止される。なお、録画先は、予め指定された録画先（例えばＨＤＤ２５）となる。
【００４９】
次に、上記した各記録モードに対する消去条件の設定について説明する。操作部１６又はリモートコントローラ１７により消去条件の設定が指示されると、消去条件を管理する管理手段として機能する制御部６１は、不揮発性メモリ６４に記憶されているデフォルトの消去条件の設定メニューの表示を制御する。これにより、映像表示器１４には、図３に示す消去条件の設定メニューが表示される。この消去条件の設定メニューに対して、操作部１６又はリモートコントローラ１７からの指示で、各録画モードに対する自動消去の設定が可能となっている。つまり、第１の録画モード（予約録画）により録画された番組に対する自動消去の可否を設定することができる。また、第２の録画モード（現在視聴番組録画）により録画された番組に対する自動消去の可否を設定することができる。また、第３の録画モード（ちょっと録画）により録画された番組に対する自動消去の可否を設定することができる。
【００５０】
図３には、第１の録画モードにより録画された番組に対して自動消去を許可しない消去条件が設定され、第２の録画モードにより録画された番組に対して自動消去を許可しない消去条件が設定され、第３の録画モードにより録画された番組に対して自動消去を許可する消去条件が設定されている状態が示されている。消去条件の設定メニューにおいて設定された消去条件は、例えば、不揮発性メモリ６４に記憶される。
【００５１】
記録制御手段として機能する制御部６１は、操作部１６又はリモートコントローラ１７により指定された録画モードにより番組の録画を制御する。このとき、制御部６１は、録画番組に対して、設定された消去条件に基づくロック情報を付与し、録画番組を管理する。例えば、図４に示すように、第１の録画モード（予約録画）により録画された番組に対して自動消去を許可しない消去条件が設定されている場合に、第１の録画モードにより録画された番組（予約録画１）に対してはロックありを示すロック情報が付与される。同様に、第１の録画モードにより録画された番組（予約録画２）に対してもロックありを示すロック情報が付与される。また、第２の録画モード（現在視聴番組録画）により録画された番組に対して自動消去を許可する消去条件が設定されている場合に、第２の録画モードにより録画された番組（現在視聴番組録画１）に対してはロックなしを示すロック情報が付与される。また、第３の録画モード（ちょっと録画）により録画された番組に対して自動消去を許可する消去条件が設定されている場合に、第３の録画モードにより録画された番組（ちょっと録画１）に対してはロックなしを示すロック情報が付与される。
【００５２】
記録された番組を消去条件に基づき管理する管理手段として機能する制御部６１は、ＨＤＤ２５の空き容量不足を検知すると（状態変化を検知すると）、設定された消去条件に基づきＨＤＤ２５に録画された番組の消去を制御する。つまり、上記したように、ロックなしを示すロック情報が付与されている録画番組が消去される。なお、空き容量不足は、ＨＤＤ２５の全体容量に対する空き容量の割合が所定値を下回ることにより検知される。或いは、空き容量不足は、ＨＤＤ２５の空き容量が予め設定された容量を下回ることにより検知される。また、録画予約等により、ＨＤＤ２５の全体容量に対する空き容量の割合が所定値を下回ることが予測される場合にも、空き容量不足が検知される。同様に、録画予約等により、ＨＤＤ２５の空き容量が予め設定された容量を下回ることが予測される場合にも、空き容量不足が検知される。
【００５３】
さらに、上記した消去条件に加えて、録画番組の属性情報に基づき、録画された番組の自動消去を管理するようにしてもよい。属性情報は、録画番組の録画日時、録画番組のジャンル、録画番組のサイズなどの情報を含む。ＨＤＤ２５の空き容量不足が検知され、ロックなしを示すロック情報が付与されている録画番組が複数検出されたとする。つまり、消去可能な録画番組が複数存在する場合に、各録画番組に付与されている属性情報に基づき、消去する録画番組を決定する。これにより、例えば、録画日時の古い録画番組を優先的に消去することができる。或いは、ユーザーのお気に入りとして登録されていないジャンルに該当する番組情報を優先的に消去することができる。或いは、サイズの大きい（又は小さい）録画番組を優先的に消去することができる。例えば、大容量の番組の録画が予約され、この予約に基づき容量不足が検知されたときには、サイズの大きい録画番組を優先的に消去することがより効果的である。
【００５４】
以上により、ユーザーの意思を反映した録画番組の自動削除が可能となり、録画番組の記録先の空き容量を簡単に確保することができる。これにより、記憶容量の有効活用を図ることができる。
【００５５】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【図面の簡単な説明】
【００５６】
【図１】この発明の一例に係るデジタルテレビジョン放送受信装置（記録情報管理装置）の外観を示す図である。
【図２】デジタルテレビジョン放送受信装置（記録情報管理装置）の概略構成を示すブロック図である。
【図３】消去条件の設定メニューの一例を示す図である。
【図４】録画番組に対して消去を許可するロックなしと消去を許可しないロックありの情報が付与された様子を示す図である。
【符号の説明】
【００５７】
１１…デジタルテレビジョン放送受信装置（記録情報管理装置）、１６…操作部、１７…リモートコントローラ、２５…ＨＤＤ、６１…制御部、６４…不揮発性メモリ
【図１】
2006295395.tif 000003
【図２】
2006295395.tif 000004
【図３】
2006295395.tif 000005
【図４】
2006295395.tif 000006